【事件の表示】
　平成　７年特許願第２２６３４１号「入力信号の優先切換装置」拒絶査定に対する審判事件［平成　９年　３月１１日出願公開、特開平　９−　６８９５８］について、次のとおり審決する。
【結　論】
　本件審判の請求は、成り立たない。
【理　由】
１．手続の経緯・本願発明
　本願は、平成７年９月４日の出願であって、その請求項１及び２に係る発明は、平成１０年１１月１７日付手続補正書及び平成１１年４月２２日付手続補正書で補正された明細書及び図面の記載によれば、特許請求の範囲の請求項１及び２に記載されたとおりのものと認められるところ、請求項１には次の事項が記載されている。（以下、請求項１に係る発明を「本願発明」という。）
「複数の入力端子に入力された入力信号をそれぞれの入力端子に定められている優先度に応じて切換えるための入力信号の優先切換装置であって、
　前記複数の入力端子に入力された入力信号に同期信号が含まれているときそれを検出する同期信号検出手段、
　前記優先度に応じて自動的に切換えるか否かを設定するための優先切換有無設定手段、
　前記各入力端子に対して優先度を設定するための優先度設定手段、および
　前記同期信号検出手段によって同期信号が検出されるとともに、前記優先切換有無設定手段によって優先切換の設定されていることが検出され、かつ優先度が高いことに応じてその同期信号が入力されている入力端子を選択してその入力端子に入力されている入力信号を出力し、前記同期信号が検出されかつ前記優先切換の設定されていないことが検出されたとき、現在選択している入力信号を出力する切換手段を備えた、
　入力信号の優先切換装置。」
　
２．刊行物記載の発明
　原査定の拒絶の理由に引用された実願平３−９２８４号（実開平４−９６７９２号）のマイクロフィルム（以下、「刊行物１」という。）には、図１及び図２とともに、次の事項が記載されている。
（ア）「本考案の表示切換装置は、パーソナルコンピュータが動作状態か否かを検出し、その結果を出力する複数のパーソナルコンピュータに各々対応した複数の同期信号検出手段と、複数のパーソナルコンピュータが動作状態の時に前記同期信号検出手段からの検出結果の出力のうち何れか１つだけ優先順に従って選択するための優先順位設定手段と、本装置が自動的に切換動作をするか、手動で切換えるかを選択する自動／手動切換手段と、この自動／手動切換手段が手動になっている時に、手動にてパーソナルコンピュータを切換える手動選択信号発生手段と、前記自動／手動切換手段からの選択信号により、前記優先順位設定手段の出力と前記手動選択手段の出力を切換える切換信号選択手段と、この切換信号選択手段からの出力により複数のパーソナルコンピュータの表示信号のうち１つに切換えて表示装置に供給する表示信号切換手段と、・・・（中略）・・・を有している。」（段落［０００４］）
（イ）「図１は本考案の一実施例を示すブロック図である。
　パーソナルコンピュータ３１〜３３の表示信号３１１，３２１，３３１は表示切換装置１に接続され、また表示装置４１には表示切換装置１の表示信号切換出力１０１と表示装置装置用ＡＣ電源１９１が接続され、パーソナルコンピュータシステムが構成されている。
　同期信号検出回路１１〜１３は各々パーソナルコンピュータ３１〜３３に対応し、表示信号３１１，３２１，３３１の中に含まれている同期信号を調べ、パーソナルコンピュータに電源が投入されているか否かを判定する。
　優先順位設定回路１５は、複数台のパーソナルコンピュータが動作または電源投入されているときに、優先順位の高い方の信号のみが出力されるように構成されている。
　次に、自動／手動切換スイッチ１８は前記表示切換装置１が自動的に切換動作をするか、手動で切換えるかの動作モードを選択するスイッチで、切換信号選択回路１７の出力である切換信号１７１〜１７３として、自動モードの場合は前記優先順位設定回路１５の出力である自動切換信号１５１〜１５３を、また手動モードの場合は手動選択信号発生回路１６の出力である手動選択１６１〜１６３を選択する。
　表示信号切換回路１０はパーソナルコンピュータ３１〜３３からの表示信号３１１，３２１，３３１を前記切換信号選択回路１７の出力である切換信号１７１〜１７３により切換えられ、表示装置４１に供給される。」（段落［０００６］から［０００９］）
（ウ）「 次に、全体の動作について説明する。
　まず、ＡＣ電源入力端子２１にＡＣ電源が供給され、表示切換装置１は動作可能な状態となっており、また自動／手動切換スイッチ１８は自動モードに設定されている。
　パーソナルコンピュータ３３の電源が投入されると、表示信号３３１の水平／垂直同期信号ラインにパルス信号が出力され、同期信号検出回路１３において前記パルス信号を検出し、同期信号検出信号１３１が論理“１”となり、優先順位設定回路１５に供給されるが、同期信号検出信号１１１，１２１は対応するパーソナルコンピュータの電源は切断された状態なので論理“０”が優先順位設定回路１５に供給される。
　優先順位設定回路１５は、複数の入力信号が論理“１”になった場合、優先順位の高い方の一つの信号のみを出力するように構成されている。
　したがって、この場合は自動切換信号１５３が論理“１”となり、切換信号選択回路１７に供給される。
　切換信号選択回路１７に供給される自動／手動切換信号１８１は前述したように自動モードに設定されているので、自動切換信号１５１〜１５３が切換信号選択回路１７の出力として切換信号１７１〜１７３となる。
　従って、切換信号１７１〜１７３のうち論理“１”となるのは切換信号１７３である。これらの切換信号１７１〜１７３は表示信号切換回路１０及び表示装置電源投入／切断回路１９に供給されて、表示信号切換回路１０においては該当する切換回路が動作し、表示信号切換出力１０１が表示装置４１に接続され、一方表示装置電源投入／切断回路１９においては、切換信号１７１〜１７３の論理和信号により投入／切断の制御が行われるので、表示装置用ＡＣ電源１９１にはＡＣ電源が投入される。」（段落［００１０］から［００１３］）
（エ）「図２は優先順位設定回路１５、手動選択信号発生回路１６、切換信号選択回路１７、自動／手動切換スイッチ１８及び表示装置電源投入／切断回路１９の内部詳細を示したブロック図である。　切換信号選択回路１７はセレクタ回路になっており、ＳＥＬＥＣＴ信号が論理“０”の場合、つまりＡＵＴＯモードの時は、１Ａ→１Ｙ、２Ａ→２Ｙ、３Ａ→３Ｙのように選択され、ＳＥＬＥＣＴ信号が論理“１”の場合、つまりＭＡＮＵＡＬモードの時は１Ｂ→１Ｙ、２Ｂ→２Ｙ、３Ｂ→３Ｙのように選択される。」（段落［００１５］）
　
　また、同じく原査定の拒絶の理由に引用された実願昭５５−８３３４５号（実開昭５７−７２３６号）のマイクロフィルム（以下、「刊行物２」という。）には、第２図とともに以下の事項が記載されている。
（オ）入力１と入力２とを切り換えて出力する信号切換装置において、入力１及び入力２の信号の有無を検出し、信号の有る入力のうち、優先権の与えられている入力を選択して出力するとともに、優先権切換用スイッチを設け、入力１と入力２の優先権の切換を行えるようにすること。
　
３．対比
　本願発明と刊行物１に記載の発明とを対比する。
　上記記載事項（ア）（イ）（ウ）から、刊行物１記載の「表示切換装置」も、「複数の入力端子に入力された入力信号をそれぞれの入力端子に定められている優先度に応じて切換えるための入力信号の優先切換装置」であることが明らかである。
　また、刊行物１記載の発明の「同期信号検出回路１１〜１３」及び「自動／手動切換スイッチ１８」はそれぞれ本願発明の「同期信号検出手段」及び「優先切換有無設定手段」に相当する。
　そして、刊行物１記載の発明も、上記記載事項（ア）（イ）（ウ）から、同期信号検出回路１１〜１３によって同期信号が検出されるとともに、自動／手動切換スイッチ１８によって自動モードに設定されていることが検出され、かつ優先順位設定回路１５によって優先度が高いことが設定されていることに応じて、切換信号選択回路１７の出力により表示信号切換回路１０を切換え、優先度が高い同期信号が入力されている入力端子を選択してその入力端子に入力されている入力信号を出力するものである。また、上記記載事項（ア）（イ）（エ）により、同期信号検出回路１１〜１３により同期信号が検出され、かつ自動／手動切換スイッチ１８により手動モードが設定されている、すなわち自動モードが設定されていないことが検出されたとき、手動選択信号発生回路１６で選択している入力信号を出力するものである。したがって、刊行物１記載の「優先順位設定回路１５」、「手動選択信号発生回路１６」、「切換信号選択回路１７」及び「表示信号切換回路１０」から構成される回路は、本願発明の「切換手段」に相当する。
　してみれば、両者は、ともに「複数の入力端子に入力された入力信号をそれぞれの入力端子に定められている優先度に応じて切換えるための入力信号の優先切換装置であって、前記複数の入力端子に入力された入力信号に同期信号が含まれているときそれを検出する同期信号検出手段、前記優先度に応じて自動的に切換えるか否かを設定するための優先切換有無設定手段、および前記同期信号検出手段によって同期信号が検出されるとともに、前記優先切換有無設定手段によって優先切換の設定されていることが検出され、かつ優先度が高いことに応じてその同期信号が入力されている入力端子を選択してその入力端子に入力されている入力信号を出力し、前記同期信号が検出されかつ前記優先切換の設定されていないことが検出されたとき、現在選択している入力信号を出力する切換手段を備えた、入力信号の優先切換装置。」である点で一致し、次の点において相違する。
　本願発明が「各入力端子に対して優先度を設定するための優先度設定手段」を具備しているのに対して、刊行物１記載の発明の「優先順位設定回路１５」は、回路によって固定的に優先順位が決められているから、刊行物１記載の発明が、上記「各入力端子に対して優先度を設定するための優先度設定手段」を具備するとはいえない点。（相違点）
　
４．相違点の判断
　上記相違点について検討する。
　刊行物２には、上記記載事項（オ）のとおり、信号切換装置において、入力１及び入力２の信号の有無を検出し、信号の有る入力のうち、優先権の与えられている入力を選択して出力するとともに、優先権切換用スイッチを設け、入力１と入力２の優先権の切換を行えるようにすることが記載されており、「優先権切換用スイッチ」は本願発明の「優先度設定手段」に相当するものである。そして、刊行物１記載の発明も刊行物２記載の発明と同様に優先度に応じて入力信号を切り換えて出力するものであるから、優先度を変更する「優先度設定手段」を設けるという刊行物２記載の技術的思想を刊行物１記載の表示切換装置に用いて、優先順位設定回路１５に対して、「各入力端子に対して優先度を設定するための優先度設定手段」を設けることは当業者ならば容易に想到し得たものである。
　
　そして、本願発明の効果も、刊行物１及び刊行物２に記載された発明から当業者であれば予測し得る程度のものである。
　
 ５．むすび
  以上のとおりであるから、本願発明は刊行物１及び刊行物２に記載された発明に基づいて当業者が容易に発明をすることができたものであるから、特許法第２９条第２項の規定により特許を受けることができない。
　よって、結論のとおり審決する。